(57)【要約】【課題】１本の長尺ロープでダブルロープシステムとランヤードシステムを形成することによりランヤード取り替えの面倒さを解消した樹上作業体勢安定確保方法を提供する。【解決手段】１本の長尺ロープ２の一端部に第１連結器４Ａを取り付け、第１連結器４Ａから所要長さ離れた長尺ロープ２上に第１伸縮調整具３Ａを設け、第１伸縮調整具３Ａに第２連結器４Ｂを取り付けて、第１連結器４Ａから第１伸縮調整具３Ａ辺りまでの長尺ロープ２部分をダブルロープシステムＤＲＳとし、第１伸縮調整具３Ａから後方へ離れた長尺ロープ２上に第２伸縮調整具３Ｂと第３伸縮調整具３Ｃとを所要間隔をおいて設け、これら第２及び第３伸縮調整具３Ｂ，３Ｃに第３及び第４連結器４Ｃ，４Ｄを取り付けて、第２伸縮調整具３Ｂから第３伸縮調整具３Ｃまでのロープ部分によりランヤードシステムＬＹＳを形成してなるロープ装置１を使用した樹上作業体勢安定確保方法である。【選択図】図３
2014076012.tif 000002
【特許請求の範囲】
【請求項１】
１本の長尺ロープの一端部に、作業者の安全帯に対し切り離し自在に連結する第１連結器を取り付け、第１連結器から所要長さ離れた長尺ロープ上に第１伸縮調整具を設け、第１伸縮調整具に第１連結器と同様の第２連結器を取り付けて、第１連結器から第１伸縮調整具辺りまでの長尺ロープ部分をダブルロープシステムとし、第１伸縮調整具から後方へ離れた長尺ロープ上に第２伸縮調整具と第３伸縮調整具とを所要間隔をおいて設け、これら第２及び第３伸縮調整具に第１連結器と同様の第３及び第４連結器を取り付けて、第２伸縮調整具から第３伸縮調整具辺りまでの長尺ロープ部分によりランヤードシステムを形成してなるロープ装置を使用した樹上作業体勢安定確保方法であって、地上から所要高さにある樹木幹の枝分かれ部又は枝からなる上部アンカーにダブルロープシステムを掛け、第１及び第２連結器を安全帯に連結した状態で、このダブルロープシステムを使用して所要高さまで登り、この登った位置の近くにある樹木幹の枝分かれ部又は枝からなる下部アンカーにランヤードシステムを掛け、第３及び第４連結器を安全帯に連結することにより樹上作業体勢の安定を確保するようにした樹上作業体勢安定確保方法。
【請求項２】
地上から所要高さにある樹木幹の枝分かれ部又は枝からなる上部アンカーにダブルロープシステムを掛け、第１及び第２連結器を安全帯に連結した状態で、このダブルロープシステムを使用して所要高さまで登り、この登った位置の近くにある樹木幹の枝分かれ部又は枝からなる下部アンカーにランヤードシステムを掛け、第３及び第４連結器を安全帯に連結することによって樹上作業体勢の安定を確保した状態で樹木の剪定や伐採作業を行い、その後第１連結器を安全帯から切り離して、ダブルロープシステムを前記上部アンカーより上方にある所要の上部アンカーに掛け、第１連結器を安全帯に連結した後、第３及び第４連結器を安全帯から切り離し状態で、ダブルロープシステムを使用して所要高さまで登り、その登った位置の近くにある樹木幹の枝分かれ部又は枝からなる下部アンカーにランヤードシステムを掛け、第３及び第４連結器を安全帯に連結することにより樹上作業体勢の安定を確保し、以降、必要に応じて上記の動作を繰り返す請求項１に記載の樹上作業体勢安定確保方法。
【請求項３】
第１〜第３伸縮調整具は、短尺ロープ材の一端部側を長尺ロープに巻き付けて結び目を形成したものからなる請求項１又は２に記載の樹上作業体勢安定確保方法。
【請求項４】
第１〜第３伸縮調整具は、所定の操作をすることにより長尺ロープに沿って移動し、所定方向の荷重がかかることよって長尺ロープ上での移動を阻止されるように構成されたロック金具からなる請求項１又は２に記載の樹上作業体勢安定確保方法。
【発明の詳細な説明】
【技術分野】
【０００１】
本発明は、樹木に登って樹木の剪定や伐採等の作業を行なう際に、樹木上での作業者の作業体勢の安定を確保できる樹上作業体勢安定確保方法に関する。
【背景技術】
【０００２】
木に登るのに、従来より、ダブルロープシステムが使用されている。このダブルロープシステムは、１本の長尺ロープを樹木の枝に掛けて折り返すことで２重ロープ状態とし、樹木の枝から延びた２重ロープの一方の長尺ロープ部の端部に例えば二重８の字状結びを形成し、その輪っか部分をカラビナにより自分（作業者）の安全帯につなぎ、その二重８の字状結び部分から延びた長尺ロープ部分に、一端部に輪っかを設けた短尺ロープ材の他端部を巻き付けてフリクションノットを形成し、その短尺ロープ材の一端部の輪っかにカラビナを付けて、このカラビナを前記安全帯に取り付けるようにしたもので、フリクションノットより下方の長尺ロープを引き、その後にフリクションノットを押し上げ、これを繰り返すことにより安全を確保しながら登っていくことができる。
【０００３】
このようなダブルロープシステムによって樹木の所要高さまで登り、その登った位置で枝を剪定したり伐採する等の作業を行なう場合、そのままでは樹上作業体勢が極めて不安定で、作業を的確且つ安全に行なえないことから、従来では、作業者が予め装備した既製のランヤードを樹木の所要部に掛け回し、その両端部を作業者の安全帯につないで、このランヤードによって樹上作業体勢の安定を確保した状態で作業を行なっている。
【発明の概要】
【発明が解決しようとする課題】
【０００４】
上記のような従来の方法によれば、樹上作業体勢の安定を図るためには、長尺ロープの他に既製のランヤードを用意しておいて、樹上作業時にこの既製のランヤードをハーネスに取り付けておく必要がある。この既製のランヤードは、長さが２〜１０ｍの範囲で種々異なっていることから、作業によって必要な長さのものといちいち取り替えなければならず、非常に面倒であった。
【０００５】
本発明は、上記の事情に鑑み、１本の長尺ロープでダブルロープシステムとランヤードシステムとを形成することによって、従来方法におけるランヤードの取り替えの面倒さを無くし、作業を能率良く行なうことができる樹上作業体勢安定確保方法を提供することを目的とする。
【課題を解決するための手段】
【０００６】
上記課題を解決するための手段を、後述する実施形態の参照符号を付して説明すると、請求項１に係る発明は、１本の長尺ロープ２の一端部に、作業者Ｓの安全帯５に対し切り離し自在に連結する第１連結器４Ａを取り付け、第１連結器４Ａから所要長さ離れた長尺ロープ２上に第１伸縮調整具３Ａを設け、第１伸縮調整具３Ａに第１連結器４Ａと同様の第２連結器４Ｂを取り付けて、第１連結器４Ａから第１伸縮調整具３Ａ辺りまでの長尺ロープ２部分をダブルロープシステムＤＲＳとし、第１伸縮調整具３Ａから後方へ離れた長尺ロープ２上に第２伸縮調整具３Ｂと第３伸縮調整具３Ｃとを所要間隔をおいて設け、これら第２及び第３伸縮調整具３Ｂ，３Ｃに第１連結器４Ａと同様の第３及び第４連結器４Ｃ，４Ｄを取り付けて、第２伸縮調整具３Ｂから第３伸縮調整具３Ｃ辺りまでの長尺ロープ２部分によりランヤードシステムＬＹＳを形成してなるロープ装置１を使用した樹上作業体勢安定確保方法であって、地上から所要高さにある樹木Ｔ幹の枝分かれ部又は枝Ｂからなる上部アンカー９にダブルロープシステムＤＲＳを掛け、第１及び第２連結器４Ａ，４Ｂを安全帯５に連結した状態で、このダブルロープシステムＤＲＳを使用して所要高さまで登り、この登った位置の近くにある樹木Ｔ幹の枝分かれ部又は枝Ｂからなる下部アンカー１０にランヤードシステムＬＹＳを掛け、第３及び第４連結器４Ｃ，４Ｄを安全帯５に連結することにより樹上作業体勢の安定を確保するようにしたことを特徴とする。
【０００７】
請求項２は、請求項１に記載の樹上作業体勢安定確保方法において、地上から所要高さにある樹木Ｔ幹の枝分かれ部又は枝Ｂからなる上部アンカー９にダブルロープシステムＤＲＳを掛け、第１及び第２連結器４Ａ，４Ｂを安全帯５に連結した状態で、このダブルロープシステムＤＲＳを使用して所要高さまで登り、この登った位置の近くにある樹木Ｔ幹の枝分かれ部又は枝Ｂからなる下部アンカー１０にランヤードシステムＬＹＳを掛け、第３及び第４連結器４Ｃ，４Ｄを安全帯に連結することによって樹上作業体勢の安定を確保した状態で樹木Ｔの剪定や伐採作業を行い、その後第１連結器４Ａを安全帯５から切り離して、ダブルロープシステムＤＲＳを前記上部アンカー９より上方にある所要の上部アンカー９に掛け、第１連結器４Ａを安全帯５に連結した後、第３及び第４連結器４Ｃ，４Ｄを安全帯５から切り離し状態で、ダブルロープシステムＤＲＳを使用して所要高さまで登り、その登った位置の近くにある樹木Ｔ幹の枝分かれ部又は枝Ｂからなる下部アンカー１０にランヤードシステムＬＹＳを掛け、第３及び第４連結器４Ｃ，４Ｄを安全帯５に連結することにより樹上作業体勢の安定を確保し、以降、必要に応じて上記の動作を繰り返すことを特徴とする。
【０００８】
請求項３は、請求項１又は２に記載の樹上作業体勢安定確保方法において、第１〜第３伸縮調整具３Ａ，３Ｂ，３Ｃは、短尺ロープ材１１の一端部側を長尺ロープ２に巻き付けて結び目３３，３４を形成したものからなることを特徴とする。
【０００９】
請求項４は、請求項１又は２に記載の樹上作業体勢安定確保方法において、第１〜第３伸縮調整具３Ａ，３Ｂ，３Ｃは、所定の操作をすることにより長尺ロープ２に沿って移動し、所定方向の荷重がかかることよって長尺ロープ２上での移動を阻止されるように構成されたロック金具３５からなることを特徴とする。
【発明の効果】
【００１０】
上記解決手段による発明の効果を、後述する実施形態の参照符号を付して説明すると、請求項１に係る発明の樹上作業体勢安定確保方法は、１本の長尺なロープ２の一端部側をダブルロープシステムＤＲＳとし、このダブルロープシステムＤＲＳの後方にランヤードシステムＬＹＳを形成したロープ装置１を使用し、所要高さにある樹木Ｔ幹の枝分かれ部又は枝Ｂからなる上部アンカー９にダブルロープシステムＤＲＳを掛け、第１及び第２連結器４Ａ，４Ｂを安全帯５に連結した状態で、このダブルロープシステムＤＲＳを使用して所要高さまで登り、この登った位置の近くにある樹木Ｔ幹の枝分かれ部又は枝Ｂからなる下部アンカー１０にランヤードシステムＬＹＳを掛け、第３及び第４連結器４Ｃ，４Ｄを安全帯５に連結することによって樹上作業体勢の安定を確保できるようにしたもので、ランヤードシステムＬＹＳをダブルロープシステムＤＲＳと同じロープ２に一体に形成しているから、従来のダブルロープシステムのように既製のランヤードを作業によっていちいち取り替える必要がなく、作業を能率良く行なうことができる。
【００１１】
請求項２に係る発明の樹上作業体勢安定確保方法によれば、ダブルロープシステムＤＲＳを、順次高くなっていく上部アンカー９に付け替えていくことにより、樹木Ｔの低位置から高い位置に至る各所で作業者Ｓ自身の樹木作業体勢の安定を確保して、各所での樹木Ｔの剪定や伐採作業を的確且つ安全に行なうことができる。
【００１２】
請求項３に係る発明によれば、第１〜第３伸縮調整具３Ａ，３Ｂ，３Ｃとして、ロープ材１１，１２の一端部１１ａ，１２ａ側を長尺ロープ２に巻き付けて結び目３３，３４を形成したものを使用すれば、結び目３３，３４の形成及び操作に多少の熟練を要するが、伸縮調整具３の製作コストを大幅に低減できる。
【００１３】
請求項４に係る発明によれば、第１〜第３伸縮調整具３Ａ，３Ｂ，３Ｃとして、所定の操作をすることにより長尺ロープ２に沿って移動し、所定方向の荷重がかかることよって長尺ロープ２上での移動を阻止されるように構成されたロック金具３５を使用すれば、操作が簡単容易となり、熟練を要しない。
【図面の簡単な説明】
【００１４】
【図１】本発明の樹上作業体勢安定確保方法によって樹上作業を行なっている状態を示す説明図である。
【図２】本発明に使用するロープ装置の主要部を示す斜視図である。
【図３】本発明に係る樹上作業体勢安定確保方法において、ダブルロープシステムを上部アンカーに掛けた状態を示す説明図である。
【図４】(a) はダブルロープシステを使用して木に登っている状態を示す説明図であり、(b) は登った位置でランヤードシステムを下部アンカーに掛けようとしている状態の説明図である。
【図５】(a) はランヤードシステムを下部アンカーに掛け終わった状態の説明図であり、(b) はダブルロープシステムの一端部を作業者の安全帯から切り離している状態の説明図である。
【図６】ダブルロープシステムを次の上部アンカーに掛けている状態を示す説明図である。。
【図７】(a) 〜(d) は伸縮調整具の一例を形成する方法を示す説明図である。
【図８】(a) 〜(c) は伸縮調整具の他の例を形成する方法を示す説明図である。
【図９】(a) 〜(f) は二重８の字状結びの結び方を説明する説明図である。
【図１０】伸縮調整具及び連結器の他の実施形態を示す斜視図である。
【発明を実施するための形態】
【００１５】
以下に本発明の好適な一実施形態を図面に基づいて説明すると、図１は以下に示す本発明に係る樹上作業体勢安定確保方法を実施している状態の概略説明図であり、図２はこの方法に使用するロープ装置の要部を示す斜視図である。本発明の樹上作業体勢安定確保方法に使用するロープ装置１は、１本の長尺なロープ２の一端部に、作業者Ｓが装着した安全帯５の被連結部６，７，８に対し切り離し自在に連結する第１連結器４Ａを二重８の字状結び３２を介して取り付け、第１連結器４Ａから所要長さ離れた長尺ロープ２上に第１伸縮調整具３Ａを設け、この第１伸縮調整具３Ａに第１連結器４Ａと同様の第２連結器４Ｂを取り付けて、第１連結器４Ａから第１伸縮調整具３Ａ辺りまでの長尺ロープ２部分をダブルロープシステムＤＲＳとし、第１伸縮調整具３Ａから後方へ離れた長尺ロープ２上に第２伸縮調整具３Ｂと第３伸縮調整具３Ｃとを所要間隔をおいて設け、これら第２及び第３伸縮調整具３Ｂ，３Ｃに第１連結器４Ａと同様の第３連結器４Ｃ及び第４連結器４Ｄを取り付けて、第２伸縮調整具３Ｂから第３連結器４Ｃ辺りまでの長尺ロープ２部分によって下部アンカー用のランヤードシステムＬＹＳを形成したもので、図３に示すように地上から所要高さにある樹木Ｔの例えば枝Ｂからなる上部アンカー９にダブルロープシステムＤＲＳを掛け、第１連結器４Ａ及び第２連結器４Ｂを安全帯５の被連結部６に連結した状態で、このダブルロープシステムＤＲＳを使用して図４の(a) に示すように所要高さまで登り、この登った位置の近くにある例えば樹木Ｔ幹の枝分かれ部からなる下部アンカー１０にランヤードシステムＬＹＳを掛け、第３連結器４Ｃ及び第４連結器４Ｄを安全帯５の被連結部７，８に連結することによって樹上作業体勢の安定を確保できる。
【００１６】
第１伸縮調整具３Ａは、ダブルロープシステムＤＲＳの長さを自由に調整するものであり、第２伸縮調整具３Ｂ及び第３伸縮調整具３Ｃは、ランヤードシステムＬＹＳの長さを自由に調整するものである。図２に示すロープ装置１においてダブルロープシステムＤＲＳの端に設けられた第１伸縮調整具３Ａは、短尺ロープ材１１の一端部側を長尺ロープ２に巻き付けて結び目３３を形成したものからなり、具体的には、図７の(a) 〜(c) に示すように、短尺ロープ材１１の一端部１１ａ側をメインロープ２にグルグルと複数回巻き付け、その一端部１１ａを複数回巻付部分の側部から短尺ロープ材１１の本体部に直交させて長尺ロープ２の下を潜らせた後、複数回巻付部分内に通し、その中央部から外へ引き出すことにより形成されるブレイクスヒッチ３３（結び目）からなるもので、この結び目３３を手で掴んで押し引き操作することにより、長尺ロープ２に沿ってスライドさせることができ、また所定方向の張力をかけることにより、長尺ロープ２上にロックさせることができる。
【００１７】
また図２に示すロープ装置１においてランヤードシステムＬＹＳの両端側に設けられる第２伸縮調整具３Ｂ及び第３伸縮調整具３Ｃの各伸縮調整具は、ロープ材１２によるプルージック結び３４からなるもので、これも手で掴んで押し引き操作することにより、長尺ロープ２に沿ってスライドさせることができ、そして所定方向の張力をかけることにより長尺ロープ２上にロックさせることができる。このプルージック結び３４は、図８の(a) 〜(d) に示すように、無端リング状のロープ材１２を細長く折り曲げて、その一端側折り曲げ部分１２ａを長尺ロープ２に直交させた状態で、ロープ材１２の他端側折り曲げ部分１２ｂを一端側折り曲げ部分１２ａと長尺ロープ２の間に通し（(a) ，(b) 参照）、この通したロープ材１２の他端側折り曲げ部分１２ｂを下方へ引っ張り、更にこの他端側折り曲げ部分１２ｂを、同図の(c) に示すように一端側折り曲げ部分１２ａの中に通して下に引っ張ることにより、(d) に示すような数回巻きプルージック結び３４を形成する。
【００１８】
また図２に示すように、長尺ロープ２の一端部には、二重８の字状結び３２を形成し、そして一端部に第１伸縮調整具３Ａ（結び目３３）を形成した短尺ロープ材１１の他端部にも二重８の字状結び３２を形成しているが、各二重８の字状結び３２を形成するには、図９の(a) に示すように長尺ロープ２又は短尺ロープ材１１の先端部を所要長さに折り返し、この状態から(b) に示すように折り返した２本を揃えたまま「８の字状結び」とし、そして(c) 〜(e) に示すように折り返した２本のロープ部分が平行を保つように結んでいって、(f) に示す状態とすればよい。こうして形成した二重８の字状結び３２の輪っか部３２ｏに第１連結器４Ａ又は第２連結器４Ｂとしてのカラビナ１３が取り付けられる。
【００１９】
尚、図２に示す実施形態のロープ装置１では、長尺ロープ２の一端部及び短尺ロープ材１１の先端部に二重８の字状結び３２を形成して、その輪っか部３２ｏにカラビナ１３を取り付けているが、長尺ロープ２の一端部及び短尺ロープ材１１の先端部をループ状のアイ部を形成して、そのアイ部にカラビナ１３を取り付けるようにしてもよい。
【００２０】
第１連結器４Ａ〜第４連結器４Ｄの各連結器としては、図２に示す第１連結器４Ａ及び第２連結器４Ｂに使用しているようなカラビナ１３が最も好ましいが、同図に示す第３連結器４Ｃ及び第４連結器４Ｄに使用している開閉式フック１４でもよい。この場合、フック１４の取付リング１４ａをロープ材１２の先端側輪っか部１２ｏに取り付ける。
【００２１】
作業者Ｓが装着する作業安全帯５としては、フルハーネス型安全帯、イージーハーネス型安全帯、シットハーネス型安全帯、腿ベルト型安全帯、胴ベルト型安全帯等を使用できる。図３〜図６に示す安全帯５は、胴ベルト５ａと腿部ベルト５ｂとからなるもので、胴ベルト５ａには、使用状態での前部中央に被連結部６が設けられ、左右両サイドに被連結部７，８が設けられて、しかして前部中央の被連結部６には第１連結器４Ａ及び第２連結器４Ｂをつなぎ、両サイドの被連結部７，８には第３連結器４Ｃ及び第４連結器４Ｄを夫々つなぐようになっている。
【００２２】
上記のような構成よりなるロープ装置１を使用して樹上作業体勢の安定を確保する方法について以下に説明する。
【００２３】
先ず、図３に示すように、作業者Ｓは、地上で、長尺ロープ２のダブルロープシステムＤＲＳを、地上から所要高さにある樹木Ｔの例えば枝Ｂからなる上部アンカー９に掛け、第１連結器４Ａ及び第２連結器４Ｂを夫々安全帯５の前部中央の被連結部６に連結する。この時、ランヤードシステムＬＹＳ側にある第２伸縮調整具３Ｂの第３連結器４Ｃと第３伸縮調整具３Ｃの第４連結器４Ｄとは、図３に示すように安全帯５から切り離した状態とする。
【００２４】
尚、長尺ロープ２は、全長が４０メートルから６０メートル程度の相当に長いもので、その他端部側は図１及び図３に示すように螺旋巻きした状態で地上にストックしておく。また、長尺ロープ２のダブルロープシステムＤＲＳを枝Ｂ等の上部アンカー９に掛ける時は、ダブルロープシステムＤＲＳの先端部にスローライン・パウチ（投げ紐の先に重りを付けたもの）をつないで、このスローライン・パウチを上部アンカー９に投げ掛けるようにすればよい。
【００２５】
そして、このダブルロープシステムＤＲＳを使用して図４の(a) に示すように所要高さまで登る。この時、作業者Ｓは、第１伸縮調整具３Ａより下方の長尺ロープ２部分を引くことにより、自分の体を上げることができ、第１伸縮調整具３Ａを上方へ滑らせることにより長尺ロープ２をグリップして、体が下へ落ちないようにし、また第１伸縮調整具３Ａより下方の長尺ロープ２部分を引っ張るのと同時に自分の下半身を上に持ち上げるようにする。
【００２６】
上記のようにして所要高さまで登ったならば、図４の(b) ，図５の(a) に示すように、登った位置の近くにある樹木Ｔの例えば幹の枝分かれ部からなる下部アンカー１０に長尺ロープ２のランヤードシステムＬＹＳ部分を掛けて、第３連結器４Ｃ及び第４連結器４Ｄを、安全帯５の左右両サイドにある被連結部７，８に連結することにより樹上作業体勢の安定を確保する。尚、第３連結器４Ｃを安全帯５の被連結部７に連結した状態は、図５の(a) には見えず、図６に示されている。
【００２７】
図５の(a) は、ダブルロープシステムＤＲＳ側の第１連結器４Ａ及び第２連結器４Ｂを夫々作業者Ｓの安全帯５の被連結部６につないだまま、ランヤードシステムＬＹＳ側の第３連結器４Ｃ及び第４連結器４Ｄを安全帯５の被連結部７，８につないだ状態を示すもので、この状態で、作業者Ｓは、樹木Ｔ上での自身の作業体勢の安定を確保できるから、樹木Ｔの剪定作業や伐採作業を的確且つ安全に行なうことができる。
【００２８】
図５の(a) に示すようにランヤードシステムＬＹＳにより樹木Ｔ上での作業体勢の安定を確保した状態で剪定等の所要の作業を終え、更に上方位置での剪定等の作業を行なう時は、図５の(b) に示すように、ダブルロープシステムＤＲＳ側の第１連結器４Ａを作業者Ｓの安全帯５の被連結部６から切り離してダブルロープシステムＤＲＳを緩めた状態で、このダブルロープシステムＤＲＳを、図６に示すように更に上方にある樹木Ｔ幹の枝分かれ部からなる上部アンカー９に掛け、しかして第１連結器４Ａを安全帯５の被連結部６に連結した後、ランヤードシステムＬＹＳ側の第３連結器４Ｃ及び第４連結器４Ｄを安全帯５の被連結部７，８から切り離して図３に示すような状態とし、斯かる状態で、再びダブルロープシステムＤＲＳを使用して図４の(a) により説明した要領で所要高さまで登り、その登った位置の近くにある樹木Ｔの幹の枝分かれ部又は枝からなる下部アンカー１０にランヤードシステムＬＹＳ部分を掛け、第３連結器４Ｃ及び第２連結器４Ｂを安全帯５の被連結部７，８に連結することによって樹上作業体勢の安定を確保し、作業を行なう。
【００２９】
以降は、必要に応じて、図３〜図６によって説明した上記の動作を繰り返し行なって、長尺ロープ２のダブルロープシステムＤＲＳを、順次高くなっていく上部アンカー９に付け替えていくことにより、樹木Ｔの低位置から高い位置に至る各所で作業者Ｓ自身の樹木作業体勢の安定を確保して、各所での樹木Ｔの剪定や伐採作業を的確且つ安全に行なうことができる。
【００３０】
上述した樹上作業体勢安定確保方法に使用するロープ装置１の第１伸縮調整具３Ａ〜第３伸縮調整具３Ｃは、図７及び図８に示すように、ロープ材１１，１２の一端部側をロープ２に結び付けて結び目（ブレイクスヒッチ３３やプルージック結び３４）を形成してなるものであるが、このような結び目の他には、図１０に示すように、所定の操作をすることによってロープ２に沿って移動し、所定方向の荷重がかかることよりロープ２上での移動を阻止されるように構成されたロック金具３５からなるものを使用できる。
【００３１】
図１０は、ロック金具３５からなる第１伸縮調整具３Ａ〜第３伸縮調整具３Ｃにカラビナ１３からなる第２連結器４Ｂ〜第４連結器４Ｄを着脱自在に取り付けた実施形態を示している。ロック金具３５は、所定方向に荷重をかけることによって作動するロック部材１５のロック作用により長尺ロープ２上での移動を阻止され、荷重を解放することによってロック部材１５によるロックが解除され、そのロック解除状態で金具本体１６を押し引き操作することによって長尺ロープ２上で移動可能となるように構成されたもので、ロック部材１５は、長尺ロープ２を保持する断面略Ｕ字形金具本体１６に枢軸１９で枢着されていて、一端部には長尺ロープ２に対し接離可能な偏心カム部１７を有し、他端部に取付孔１８を有し、常時はバネ（図示せず）により、ロック部材１５を、その偏心カム部１７が長尺ロープ２から離間して金具本体１６を長尺ロープ２に沿ってスライド可能なロック解除位置に付勢し、そして第２連結器４Ｂ〜第４連結器４Ｄであるカラビナ１３を前記バネに抗して所定方向（例えば図１０のに関して右斜め上方向）に引っ張ることにより、ロック部材１５が枢軸１９を中心に回動して、偏心カム部１７が長尺ロープ２に圧接し、その圧接摩擦力によって金具本体１６を長尺ロープ２上にロックする構成となっている。
【００３２】
図１０に示すカラビナ１３は、略Ｃ字形の本体部１３ａと、本体部１３ａの下端部側に枢軸１３ｂを介して回動可能に枢着され、Ｃ字形本体部１３ａの開口を閉鎖する回動部１３ｃと、回動部１３ｃの遊端部と本体部１３ａの上端部側とに亘って螺嵌された安全リング１３ｄとにより構成され、使用にあたっては、安全リング１３ｄを回して本体部１３ａの上端部側から回動部１３ｃ側に引き込んだ後、この回動部１３ｃを枢軸１３ｂを中心に回動して、Ｃ字形本体部１３ａの開口を開放することにより、ロック金具３５のロック部材１５に設けてある取付孔１８に挿通して取付け可能な状態となる。
【００３３】
以上の実施形態の説明から分かるように、この発明の樹上作業体勢安定確保方法では、１本の長尺ロープ２の一端部側にダブルロープシステムＤＲＳ形成し、このダブルロープシステムＤＲＳの後方側にランヤードシステムＬＹＳを形成したロープ装置１を使用し、しかして所要高さにある樹木Ｔ幹の枝分かれ部又は枝Ｂからなる上部アンカー９にダブルロープシステムＤＲＳを掛け、第１及び第２連結器４Ａ，４Ｂを安全帯５に連結した状態で、このダブルロープシステムＤＲＳを使用して所要高さまで登り、この登った位置の近くにある樹木Ｔ幹の枝分かれ部又は枝Ｂからなる下部アンカー１０にランヤードシステムＬＹＳを掛け、第３及び第４連結器４Ｃ，４Ｄを安全帯５に連結することによって樹上作業体勢の安定を確保できるようにしたもので、ランヤードシステムＬＹＳをダブルロープシステムＤＲＳと同じロープ２に一体に形成しているから、従来のダブルロープシステムのように既製のランヤードを、作業によっていちいち取り替える必要がなくなり、作業を能率良く行なうことができる。
【符号の説明】
【００３４】
Ｔ            樹木
Ｂ            樹木の枝
Ｓ            作業者
１            ロープ装置
２            長尺ロープ
３Ａ          第１伸縮調整具
３Ｂ          第２伸縮調整具
３Ｃ          第３伸縮調整具
４Ａ          第１連結器
４Ｂ          第２連結器
４Ｃ          第３連結器
４Ｄ          第４連結器
ＤＲＳ        ダブルロープシステム
ＬＹＳ        ランヤードシステム
５            安全帯
９            上部アンカー
１０          下部アンカー
【図１】
2014076012.tif 000003
【図２】
2014076012.tif 000004
【図３】
2014076012.tif 000005
【図４】
2014076012.tif 000006
【図５】
2014076012.tif 000007
【図６】
2014076012.tif 000008
【図７】
2014076012.tif 000009
【図８】
2014076012.tif 000010
【図９】
2014076012.tif 000011
【図１０】
2014076012.tif 000012